(57)【特許請求の範囲】
【請求項１】
既存のカップ式飲料自動販売機の正面扉に設けられた光透過性部材からなるフレーバーカード、及びセレクション釦、ホット表示部、コールド表示部、味調整釦、販促用広告表示部の各部全体に対向するように設けられた、裏面から照射することができる正面扉の内側にある既存の照明器具取付板から、既存の蛍光灯等の照明具を取り外し、その照明具を取り外した照明器具取付板に予め下端部に導光板を左右スライド可能にできる凹形状部を形成された導光板を支持固定する支持部材を取り付け、該支持部材の凹形状部に載置するように導光板の下部を手前側に倒して斜めにしながら支え、左右の定位置に微調整し、さらに前方向に押し付け、垂直にしながら前記支持部材の上端部で導光板の上部における左右両端部をＬ字型固定金具でビス止めすることを特徴とする既存のカップ式飲料自動販売機に取り付けるＬＥＤを利用した照明器具の取付方法。
【発明の詳細な説明】
【技術分野】
【０００１】
本発明は、既存のカップ式飲料自動販売機の正面扉に設けられた表示部であるフレーバーカード及びセレクション釦、ホット表示部、コールド表示部、味調整釦、販促用広告表示部等の各部に対向して、各部位に裏面から照明するのに好適な照明器具としてＬＥＤを利用した導光板を正面扉の裏面に取り付ける技術に関するものである。
【背景技術】
【０００２】
従来の自動販売機では、自動販売機の正面扉に設けられた各種表示部の照明を、蛍光ランプを使用して行っていた。しかしながら、昨今の自動販売機に対する省エネ要望が高まる状況において、自動販売機の照明にかかわる低消費電力化は急務であり、また、蛍光ランプに内封されている水銀ガスが有害であるため、蛍光ランプが不用となった場合に産業廃棄物としての処理を必要とする。また、蛍光ランプは寿命が短く、ランニングコストが嵩むといった種々の問題を有している。
上記事項を解決するために、既存のカップ式飲料自動販売機の照明器具を変更した各種自動販売機等が開発された。
従来例としては、カップ式飲料自動販売機の正面扉に設けられた光透過性部材からなるフレーバーカード及びセレクション釦、ホット表示部、コールド表示部、味調整釦、販促用広告表示部の各部に対向するように裏面から照射する発光ダイオードランプを収納セットした反射面を有する複数のランプ用ボックスを自動販売機正面扉の裏面に直接取り付けた照射器具として発光ダイオードランプを設けたことを特徴とするカップ式飲料自動販売機（例えば、特許文献１を参照）が存在している。
【特許文献１】特開２００９−３０１４３６号公報（特許請求の範囲の欄、発明の詳細な説明、及び図１〜図５を参照）
【発明の開示】
【発明が解決しようとする課題】
【０００３】
前記従来技術のカップ式飲料自動販売機の照明装置は、フレーバーカード及びセレクション釦、味調整釦等に対して、１個ないし複数個のＬＥＤランプをセットにした１ユニットのＬＥＤランプ、さらに照明する各部に１対１でそれぞれ対応するように、ＬＥＤランプを１個ないし複数個セットにした１ユニットの照明具をその各部の大きさに合わせて、決定した個数のＬＥＤランプを保持できる支持具を共通化できるように準備した照明装置を、正面扉の裏面に設けた照明具として発光ダイオードランプを設けたカップ式飲料自動販売機である。
前記従来技術であっても、蛍光灯を使用するもの等よりは省エネが奏され、設置面積の縮小にも役立つので、その点については問題はないが、１ユニット毎にＬＥＤランプを１個ないし複数個使用するため、自動販売機１台当たりのＬＥＤランプの使用量も多くなってしまい、コストアップにつながってしまうという問題がある。
さらに、既存のカップ式自動販売機の照明具を取り外し、本発明のＬＥＤを利用した導光板の取り付け作業時に生ずるトラブル、例えば配線の断線の防止、導光板分割による取り付け難さ等の改善が必要であった。
また、ＬＥＤランプの交換の作業も煩雑となり、作業時間も長くなってしまうという問題が発生してしまう。
本発明は、この既存のカップ式飲料自動販売機の照明具であるＬＥＤランプに換えてＬＥＤを利用した導光板を採用するものである。
しかしながら、既存のカップ式飲料自動販売機の設置場所により正面扉も全開できなかったり、全開できてもＬＥＤを利用した導光板は、フレーバーカード及びセレクション釦、味調整釦等全てに照射させるためには相当大きな導光板が必要となる。このスペースの少ない狭い状態で作業者が１人でこれを支えながら取り付けることは大変困難を伴う。これを導光板の取り付け用の金具を工夫したことにより、極めて簡単に取り付け作業を行うことができるものである。
また、近年自動販売機の省エネ化がさらに進み、照明器具を搭載せずに外照のみで商品を表示する自動販売機が増加してきているものの、自動販売機の設置場所によっては外照だけでは商品表示が不十分であったり、夜間に照明器具を使用したいというクライアントからの要望もあり、照明器具を付ける必要が生じている。
しかしながら、上記照明器具を搭載せずに、外照のみで商品を表示する自動販売機は、照明器具を使用しないため、本来照明機構が設置される正面扉を薄く構成してしまっている自動販売機が多い。
そのため、後付けで照明器具を付けるには、正面扉内に照明器具を取り付けるためのスペースがなく、外付けの照明装置を採用することとなる。しかし、この外付けの照明装置では、自動販売機の表示部分を均等に照射することができず、照明ムラが発生してしまうという問題がある。
【０００４】
本発明は、上記問題を解決するために、既存の薄型の正面扉からなる自動販売機にも後付けすることができる照明器具としてＬＥＤを利用した導光板を取り付ける。この導光板を正面扉の内側にある照明取付用の裏面板に取り付ける際に有効な工夫をした取付金具を設けた既存のカップ式飲料自動販売機の照明器具の取付方法を提供することを目的としているものである。
【課題を解決するための手段】
【０００５】
本発明の第１発明は上記課題を解決したものであり、請求項１に記載した通りの既存のカップ式飲料自動販売機に取り付けるＬＥＤを利用した照明器具の取付方法であり、次のようなものである。
既存のカップ式飲料自動販売機の正面扉に設けられた光透過性部材からなるフレーバーカード、及びセレクション釦、ホット表示部、コールド表示部、味調整釦、販促用広告表示部の各部全体に対向するように設けられた、裏面から照射することができる正面扉の内側にある既存の照明器具取付板から、既存の蛍光灯等の照明具を取り外し、その照明具を取り外した照明器具取付板に予め下端部に導光板を左右スライド可能にできる凹形状部を形成された導光板を支持固定する支持部材を取り付け、該支持部材の凹形状部に載置するように導光板の下部を手前側に倒して斜めにしながら支え、左右の定位置に微調整し、さらに前方向に押し付け、垂直にしながら前記支持部材の上端部で導光板の上部における左右両端部をＬ字型固定金具でビス止めする方法である。
【発明の効果】
【０００６】
本発明に係る既存のカップ式飲料自動販売機に取り付けるＬＥＤを利用した照明器具は、上記説明のような構成を有するので、以下に記載する効果を奏する。
（１）薄い導光板を取り付けるだけのため、正面扉の幅を薄くした自動販売機であっても対応することができる。
（２）既存の自動販売機の正面扉の裏面にある蛍光灯等の照明具を取り外し、取り外した照明具に換えて、ＬＥＤを取り付けた導光板を簡単に取り付けることができるため、既存の自動販売機にも簡単に増設することができる。
（３）自動販売機自体を薄く構成することができるため、自動販売機搬入時に従来乗せることができなかったエレベータに乗せて地上階ではない場所にも簡単に搬入が可能になった。
（４）照明具としてＬＥＤランプを採用することで、蛍光灯等と比較して使用期間の寿命が長く、さらに省エネで廉価である。
（５）導光板を使用することで、少ないＬＥＤランプでより多くの表示部分を照射でき、コストダウンにつながる。
（６）ＬＥＤランプの光を均一に照射できるように構成された導光板を使用するため、従来の照明手段のような照明ムラが発生しない。
（７）外照で見えるように薄く形成したメニュー板は、蛍光灯では印刷面が見えてしまって、見栄えが良くなくなってしまうが、本発明の導光板を利用したものは、例えメニュー板を薄くしても綺麗に照明することができる。また、メニュー板へのメニュー表示の印刷も薄くできる。
【図面の簡単な説明】
【０００７】
【図１】本発明のカップ式飲料自動販売機を示す概略正面図である。
【図２】本発明のＬＥＤを利用した導光板の一実施例を示したもので、（ａ）は大きい導光板と小さい導光板を一体にした略Ｌ字状の導光板を利用した一例を示す概略正面図、（ｂ）はＬＥＤを利用した導光板の概略側面図、（ｃ）は（ａ）の矢視を示す概略拡大説明図である。
【図３】本発明のＬＥＤを利用した導光板を大小分割したもの示すもので、（ａ）は大きい導光板と小さい導光板とをリード線で接続した状態を示す概略正面図、（ｂ）はＬＥＤを利用した導光板の概略側面図、（ｃ）は（ａ）の矢視を示す概略拡大説明図である。
【図４】図３のＬＥＤの配置位置の他の実施例を示したもので、（ａ）は大きい導光板と小さい導光板とをリード線で接続した状態の一例を示す概略正面図、（ｂ）はＬＥＤの配置の一例を示す概略側面図である。
【図５】本発明のＬＥＤを利用した導光板の設置例を示すもので、（ａ）は自動販売機の表示板の一列に対応するような横長の導光板を用いたものを示す概略正面図、（ｂ）は導光板の裏面を示す概略背面図である。
【図６】本発明のＬＥＤを取り付けた導光板の支持部材を示すもので、（ａ）は正面概略斜視図、（ｂ）は裏面概略斜視図である。
【図７】本発明のＬＥＤを取り付けた導光板の位置決めと固定をするもので、該導光板の上部左右を位置決めするＬ字型取付金具を示す概略斜視図である。
【図８】本発明のカップ式飲料自動販売機の正面扉における表示部分を示す概略側断面図である。
【図９】本発明のＬＥＤを取り付けた導光板の取付方法の概略を示すもので、既存のカップ式飲料自動販売機の正面扉の内側にある照明取付用の裏面板である既存の蛍光ランプ等を取り外した後の、照明器具取付板に前記導光板を取り付ける状態を示す説明図である。
【図１０】本発明の既存のカップ式飲料自動販売機の正面扉を開放し、照明器具取付板に支持部材を取り付け、この支持部材の凹形状部にＬＥＤを取り付けた導光板を載置固定し、さらに上部をＬ字型取付金具で支持固定した状態を示す概略斜視図である。
【図１１】本発明のＬＥＤを利用した導光板に対して、枠体を介して接続ソケットを取り付けた実施例を示す概略斜視図である。
【図１２】本発明のｌＥＤを利用した導光板に対して、枠体を介してＡＣアダプターソケットを取り付けた実施例を示す概略斜視図である。
【発明を実施するための形態】
【０００８】
既存のカップ式飲料自動販売機の正面扉に設けられた光透過性部材からなるフレーバーカード、及びセレクション釦、ホット表示部、コールド表示部、味調整釦、販促用広告表示部の各部全体に対向するように設けられた、裏面から照射することができる正面扉の内側にある既存の照明器具取付板から、既存の蛍光灯等の照明具を取り外し、その照明具を取り外した照明器具取付板に予め下端部に導光板を左右スライド可能にできる凹形状部を形成された導光板を支持固定する支持部材を取り付け、該支持部材の凹形状部に載置するように導光板の下部を手前側に倒して斜めにしながら支え、左右の定位置に微調整し、さらに前方向に押し付け、垂直にしながら前記支持部材の上端部で導光板の上部における左右両端部をＬ字型固定金具でビス止めすることを特徴とする既存のカップ式飲料自動販売機に取り付けるＬＥＤを利用した照明器具の取付方法である。
【実施例】
【０００９】
以下、図面を用いて本発明の一実施例に関して説明する。
図１は、本発明の照明器具としてＬＥＤを利用した導光板を設けた既存のカップ式飲料自動販売機の正面扉を主に示す概略正面図である。
図面からも理解できるように、本発明の特徴であるＬＥＤを取り付けた導光板をカップ式自動販売機の正面扉１内にある光透過性部材からなるフレーバーカード１４及びセレクション釦１３、ホット表示部、コールド表示部、味調整釦１６、販促用広告表示部の各部全体を裏面から対向する部分を１枚、または複数枚の導光板で照射できるようにしたものである。
尚、図示されているもので、１７は商品取出口、１８はコイン投入口、１９は返却レバー、２０は紙幣投入口、２１はコイン返却口、２２は小型ディスプレイをそれぞれ示すものである。
次に、導光板２は図２〜図４からも理解できるように、ＬＥＤ（発光ダイオード）３をユニット４化した板状の導光板２は、少なくとも両側に補強を兼ねた取付枠５（あるいはアルミテープ等でＬＥＤを固定することも考えられる。）で覆い、さらにリード線１１でＬＥＤと接続されている。このリード線１１は、作業中に引っ掛けて破断をしないように取付枠５内に収納することも大変効果的である。
尚、リード線１１の処理は、大変やっかいなものである。このリード線の延長する長さを極力少なくして、図１１に示すようにＬＥＤを利用した導光板２の周囲に設けられた補強を兼ねた取付枠５の一部に孔を設けて、この孔を介して接続ソケット６を設けて電気的に接続するものである。
さらに、図１２に示すように、先述の図１１に示したリード線の処理と同様にＡＣアダプターソケット１５も、ＬＥＤを利用した導光板２の周囲に設けられた、補強を兼ねた取付枠５の他の一部に孔を設けて、この孔を介してＡＣアダプターソケット１５を設けるものである。
以上のような構成にすることにより、配線の断線防止と美観を良くしたものである。
また、前記導光板２は、図６〜図８、図１０で示す支持部材７とＬ字形取付金具９を利用して載置固定することで簡単に取り付け、取り外しができるものである。
【００１０】
ここで、図面に基づいてＬＥＤを取り付けた導光板について説明する。
図２、図３からも理解できるように、導光板２の両側面、または片側面にコ字状の枠内にＬＥＤ３を備えたＬＥＤユニット４を取り付け、導光板２内にＬＥＤ３の光を拡散し、正面扉内にある光透過性部材からなるフレーバーカード及びセレクション釦、ホット表示部、コールド表示部、味調整釦、販促用広告表示部の各部位全体を照明するものである。
なお、図２のように導光板２の形状を略Ｌ字型の一枚の導光板２で構成したもの、図３のように、大型の導光板２と小型の導光板２に分割したもの、図４のように、ＬＥＤユニット４内のＬＥＤ３の数を減らしたもの、図５のように自動販売機の表示板の一列に対応するような横長の導光板を複数用いたものも考えられる。
また、自動販売機の照明時間を制御するためにタイマーを取り付けることも考えられる。
【００１１】
次に、図６（ａ）、図６（ｂ）、図７に基づいて、支持部材、Ｌ字型取付金具について説明する。
既存のカップ式飲料自動販売機の表示部を内側裏面から照射する照明具が取り付けてある既存の取り付け板１２から蛍光灯等の既存の照明具を取り外し、図６に示すような形状の支持部材７を既存の取り付け板１２の適宜個所に取付穴１０を介してビス止めする。
尚、前記支持部材７には、下端部に凹形状部８を１個所、あるいは複数個所形成し、図９に示すようにこの凹形状部８を利用してＬＥＤ３を利用した導光板２からなる照明器具を手前側に倒して斜めにしながら載置し、正面扉１の内側に、前記ＬＥＤ３を利用した導光板２を取り付けた既存の取り付け板１２が閉止できるように、これを簡単に位置決めするために、凹型状部８を介して導光板２の底部を載置した上で、左右にスライドさせることができるように両端が塞がっていない凹形状部８が設けられている。これは、導光板２が取り付け板１２の適宜位置に取り付けられておらず、例えば左右にずれていると正面扉１が閉止できないためである。
この微調整して位置決めされたＬＥＤ３を利用した導光板２からなる照明器具をさらに、前方向に押し付け、垂直にしながら移動しないように上端側の左右に、図７に示すような形状を持ったＬ字型取付金具９を取り付け、照明器具を固定するものである。
以上の説明で理解できるものであるが、これら表示部、既存の照明器具取り付け板１２、さらに支持部材７、Ｌ字型取付金具９の配置関係を図８〜図１０に示すものである。
【産業上の利用可能性】
【００１２】
全ての自動販売機に活用することができる。
【符号の説明】
【００１３】
１・・・・正面扉                    
２・・・・導光板
３・・・・ＬＥＤ
４・・・・ＬＥＤユニット
５・・・・取付枠
６・・・・接続ソケット
７・・・・支持部材
８・・・・凹形状部
９・・・・Ｌ字型取付金具
１０・・・・取付穴
１１・・・・リード線
１２・・・・取り付け板
１３・・・・セレクション釦
１４・・・・フレーバーカード
１５・・・・ＡＣアダプターソケット
１６・・・・味調整釦
１７・・・・商品取出口
１８・・・・コイン投入口
１９・・・・返却レバー
２０・・・・紙幣投入口
２１・・・・コイン返却口
２２・・・・小型ディスプレイ
【図１】
0005827861.tif 000002
【図２】
0005827861.tif 000003
【図３】
0005827861.tif 000004
【図４】
0005827861.tif 000005
【図５】
0005827861.tif 000006
【図６】
0005827861.tif 000007
【図７】
0005827861.tif 000008
【図８】
0005827861.tif 000009
【図９】
0005827861.tif 000010
【図１０】
0005827861.tif 000011
【図１１】
0005827861.tif 000012
【図１２】
0005827861.tif 000013